(57)【要約】【課題】良好なマッサージ効果を得ることのできるマッサージ装置を提供する。【解決手段】オットマン２０の凹部２１の両側壁部２３にエアバッグ２４Ａ〜２４Ｄを設け、その凹部２１の底部２５に上下移動するローラ２７を設けた。【選択図】  図２
2004208880.tif 000002
【特許請求の範囲】
【請求項１】
人体の一部を受けるベース体の一端から他端に亘って形成された凹部の少なくとも一方の側壁部にエアバッグを設けたマッサージ装置であって、
前記凹部の底部に施療子を設け、
この施療子による施療位置が移動することを特徴とするマッサージ装置。
【請求項２】
前記施療子が移動することによって施療位置が移動することを特徴とする請求項１に記載のマッサージ装置。
【請求項３】
前記エアバッグを膨張させた状態で施療位置を移動させることを特徴とする請求項１または請求項２に記載のマッサージ装置。
【請求項４】
前記施療子は、人体の当接面の曲面に沿って移動するローラであることを特徴とする請求項１ないし請求項３のいずれか１つに記載のマッサージ装置。
【請求項５】
前記施療子は、前記凹部の底部に沿って設けた複数のエアバッグで構成され、これらエアバッグを順次膨縮することで施療位置を移動させることを特徴とする請求項１に記載のマッサージ装置。
【請求項６】
請求項１ないし請求項５に記載のベースは、椅子の脚載置部であることを特徴とするマッサージ装置。
【発明の詳細な説明】
【０００１】
【発明の属する技術分野】
この発明は、例えば脚載置部（オットマン）の凹部にエアバッグを設けたマッサージ装置に関する。
【０００２】
【従来の技術】
従来から、図１２に示すマッサージ装置が知られている（特許文献１参照）。かかるマッサージ装置は、脚部を入れるオットマン１の各凹部２，２の両側壁部に設けたエアバッグ３，３を備えている。
【０００３】
このマッサージ装置は、オットマン１の凹部２，２に脚部を入れてエアバッグ３，３を膨縮することによって、その脚部のマッサージを行っていくものである。
【０００４】
【特許文献１】
特開２００１−３３３９５１号公報（段落２８、段落４７、図１参照）
【０００５】
【発明が解決しようとする課題】
しかしながら、このようなマッサージ装置にあっては、凹部２の両側壁に設けたエアバッグ３，３の膨縮によって脚部をマッサージしていくものであるから、脚部の同じ部位が押圧されてマッサージが行われていくだけであり、このため、単調なマッサージになってしまい、マッサージ効果として必ずしも満足できるものではなかった。
【０００６】
この発明の目的は、さらに良好なマッサージ効果を得ることのできるマッサージ装置を提供することにある。
【０００７】
【課題を解決するための手段】
上記目的を達成するため、請求項１の発明は、ベースの一端から他端に亘って形成された凹部の少なくとも一方の側壁部にエアバッグを設けたマッサージ装置であって、
前記凹部の底部に施療子を設け、
この施療子による施療位置が移動することを特徴とする。
【０００８】
【実施の形態】
以下、この発明に係るマッサージ装置の実施の形態を図面に基づいて説明する。
［第１実施形態］
図１および図２に示す椅子式のマッサージ装置１０は、座部１１と、この座部１１の後ろに設けた背凭れ部１２と、座部１１の前に設けたオットマン２０と、座部１１の両側に設けたアームレスト部１４，１５と、座部１１の下側に設けられた給排気装置５０とを有している。背凭れ部１２はリクライニングが可能となっている。また、アームレスト部１４には各種の操作を行う操作部１６が設けられている。
【０００９】
オットマン２０は、軸線Ｊ回りに回動可能となっており、任意の回動位置に固定できるようになっている。このオットマン２０の軸線Ｊ回りの回動は例えば図示しないエアバッグの膨縮によって行う。
【００１０】
また、オットマン２０は、脚部を入れる凹部２１，２１を形成したベース体２２と、このベース体２２を固定した図示しないフレーム等とを有している。各凹部２１は上下（図２において）に延びており、その凹部２１の上端および下端を開放されている。各凹部２１の両側壁部２３にエアバッグ２４Ａ〜２４Ｄが設けられており、その凹部２３の底部２５には上下に延びた開口２６が形成されている。
【００１１】
この開口２６内にはローラ（施療子）２７がその開口２６に沿って上下方向に移動可能に配置されており、このローラ２７や開口２６やエアバッグ２４Ａ〜２４Ｄ等はベース体２２の表面を覆ったカバーＫによって覆われている。
【００１２】
ローラ２７は、図３ないし図５に示す移動機構（移動手段）３０によって上下移動するようになっている。
【００１３】
移動機構３０は、図３ないし図５に示すように、一対のローラ２７，２７を回動自在に取り付けた上下動可能な基板３１と、この基板３１を上下移動させる送り装置（送り手段）３２等とを備えている。
【００１４】
基板３１の裏面には、上下に貫通したガイド孔３３を形成した一対の筒部材３４が取り付けられており、そのガイド孔３３には上下に延びた一対のガイドロッド３５が貫装していて、基板３１がガイドロッド３５に沿って上下動自在となっている。ガイドロッド３５，３５の上下端はオットマン２０のフレームに取り付けた枠板３６，３７にそれぞれ固定されている。
【００１５】
送り装置３２は、基板３１の裏面に取り付けられるとともに孔４０Ａに雌ネジを形成した筒部材４０と、この筒部材４０の雌ネジに螺合した送りネジ４１と、この送りネジ４１を回動させるモータ４２等とを備えている。
【００１６】
送りネジ４１の上端部は、枠板３６に設けた軸受部材４３に回動自在に保持され、送りネジ４１の下部は、枠板３７に設けた軸受部材４４に回動自在に保持されているとともに貫装している。その送りネジ４１の下端にはギア４６が装着されており、このギア４６には駆動ギア４７が噛合されている。駆動ギア４７は枠板３７に取り付けたモータ４２の駆動軸４２ａに装着され、モータ４２の駆動によって送りネジ４１が回転していくようになっている。
【００１７】
給排気装置５０は、図６に示すように、エアーを給気するためのポンプ５１と、エアバッグ２４Ａ〜２４Ｄを給気するための電磁弁５２，５３と、エアバッグ２４Ａ〜２４Ｄの排気を行うための電磁弁５４，５５と、ポンプ５１および電磁弁５２〜５５を制御する制御装置５６等とを備えている。そして、電磁弁５４，５５が閉成されるとともに電磁弁５２，５３が開成するとエアバッグ２４Ａ〜２４Ｄとポンプ５１とが連通してエアバッグ２４Ａ〜２４Ｄが膨張していくようになっており、エアバッグ２４Ａ〜２４Ｄが膨張しているとき、電磁弁５２，５３を閉成すると、エアバッグ２４Ａ〜２４Ｄの膨張が維持される。また、電磁弁５２，５３を閉成させたまま電磁弁５４，５５が開成されるとエアバッグ２４Ａ〜２４Ｄが外気に連通して排気され、エアバッグ２４Ａ〜２４Ｄが収縮していくようになっている。
【００１８】
制御装置５６は、ＣＰＵ等から構成され、操作部の操作に基づいてポンプ５１や電磁弁５２，５３，５４，５５等を制御する他にモータ４２を制御するようになっている。
［動  作］
次に、上記のように構成されるマッサージ装置１０の動作を説明する。
【００１９】
先ず、両足の脚部をオットマン２０の凹部２１にそれぞれ入れ、操作部１６を操作して、例えば通常のマッサージモードを設定すると、ポンプ５１が駆動されるとともに電磁弁（５２，５３）、（５４，５５）の開閉動作が行われる。この電磁弁（５２，５３）、（５４，５５）の開閉動作により、エアバッグ２４Ａ〜２４Ｄの膨縮が繰り返し行われて脚部のマッサージが行われる。
【００２０】
ローラモードを設定すると、電磁弁５４，５５が閉成されるとともに電磁弁５２，５３が開成されてエアバッグ２４Ａ〜２４Ｄが膨張された後、電磁弁５２，５３が閉成されてそのエアバッグ２４Ａ〜２４Ｄの膨張が維持される。そして、モータ４２が駆動されて送りネジ４１が回動されていく。この送りネジ４１の回動により基板３１が例えば上方に移動していく。
【００２１】
ローラ２７，２７は、基板３１ととも上方に移動していくことにより脹ら脛の後ろ側を押圧しながら上方へ移動していく。このローラ２７，２７の押圧により指圧感覚が得られるとともにその指圧位置（施療位置）が上方へ移動していくので、変化のあるマッサージとなり、長時間行っていても心地よさを得られることができ、良好なマッサージ効果を得ることができる。
【００２２】
また、ローラ２７，２７で脹ら脛の後ろ側を押圧しても、エアバッグ２４Ａ〜２４Ｄが膨張していることにより、脚部はオットマン２０の凹部２１に固定されているので、ローラ２７，２７の押圧によって脚部がオットマン２０の凹部２１から外れてしまうことが防止される。このため、ローラ２７，２７によって脹ら脛の後ろ側を十分に押圧することができ、確実に良好なマッサージ効果を得ることができる。
【００２３】
ここでは、基板３１が上方へ移動していく場合について説明したが、基板３１が下方へ移動していく場合も、上記と同様にしてマッサージが行われる。
［第２実施形態］
図７および図８は第２実施形態を示したものである。図７および図８において、６０は基板３１の左右にそれぞれ設けたロッドであり、各ロッド６０の先端部にコ字状のアーム６１の中間部が軸支され、アーム６１が軸６２回りに回動可能となっている。また、アーム６１の両端にローラ６３，６４が回動自在に設けられている。
【００２４】
この第２実施形態によれば、アーム６１が軸６２回りに回動するので、ローラ６３，６４を脹ら脛の曲面（人体の曲面）に沿って移動させることができ、このため、その曲面に拘わらずその曲面に沿って一様にローラ６３，６４で押圧することができ、良好なマッサージ効果を得ることができる。
【００２５】
図９は第２実施形態の他の例を示したものである。図９において、３１Ｈは基板３１に設けた孔であり、この孔３１Ｈにロッド７１が左右方向に移動可能に挿入されている。ロッド７１の先端部側にはフランジ７３が形成されており、このフランジ７３と基板３１との間にはスプリング７４が介在され、このスプリング７４によってロッド７１が左方に付勢されている。
【００２６】
また、ロッド７１の後端には係止部７５が形成され、この係止部７５によりロッド７１が孔３１Ｈから抜けないようになっている。
【００２７】
この第２実施形態の他の例によれば、アーム６１がロッド７１とともにスプリング７４の付勢力に抗して右方へ移動することができるので、脹ら脛の曲面の凹凸が大きくてもローラ６３，６４をその曲面に沿ってスムーズに移動させることができる。このため、より良好なマッサージ効果を得ることができる。また、２つのローラ６３，６４で脹ら脛の後ろ側を押圧するので、１つのローラで行うよりもより良好なマッサージ効果を得ることができる。
【００２８】
図１０は別な他の例を示したものであり、基板３１の左右に一対のローラ機構７０，７０をそれぞれ設けたものである。ローラ機構７０は、ロッド７１と、このロッド７１を左方へ付勢するスプリング７４と、ロッド７１の先端部に軸支したアーム６１と、このアーム６１に設けたローラ６３，６４とを有している。
【００２９】
この例によれば、同時に４カ所の部位を同時に押圧することができ、しかも、４つのローラ６３，６３，６４，６４を脹ら脛の曲面に沿ってスムーズに移動させることができ、より良好なマッサージ効果を得ることができる。
［第３実施形態］
図１１は第３実施形態のマッサージ装置８０を示したものである。このマッサージ装置８０では、オットマン８１の凹部２１，２１の底部２５に複数のエアバッグ（施療子）８２Ａ〜８２Ｄを上下方向に沿って配置したものである。このエアバッグ８２Ａ〜８２Ｄを上から下へや下から上へ順次膨縮することにより、マッサージ部位（施療位置）を上下に移動させていくものである。
【００３０】
この第３実施形態によれば、オットマン８１の凹部２１，２１の底部２５に複数のエアバッグ８２Ａ〜８２Ｄを配置するだけなので、その構成は簡単なものとなり、しかも、エアバッグ８２Ａ〜８２Ｄを順次膨縮させることにより、押圧部位（施療位置）が移動していくので、第１実施形態と同様な効果を得ることができる。
【００３１】
第３実施形態では、４つのエアバッグ８２Ａ〜８２Ｄを配置しているが、これに限らず、例えば５つ以上の多数のエアバッグを配置すればよりきめ細かい脹ら脛のマッサージを行うことができる。
【００３２】
上記実施形態では、いずれも椅子に設けられるオットマン２０，８１について説明したが、このオットマン２０，８１を椅子から切り離して通常のマッサージ装置として使用してもよい。この場合、凹部２１に足を入れることにより、足の裏もローラ２７，６３，６４やエアバッグ８２Ａ〜８２Ｄでマッサージすることができる。
【００３３】
【発明の効果】
以上説明したように、この発明によれば、良好なマッサージ効果を得ることができる。
【図面の簡単な説明】
【図１】この発明に係わるマッサージ装置の外観を示した斜視図である。
【図２】図１に示すマッサージ装置の正面図である。
【図３】マッサージ装置の移動機構の構成を示した側面図である。
【図４】図３に示す移動機構の正面図である。
【図５】図３の移動機構の横断面図である。
【図６】図６は給排気装置の構成を示したブロック図である。
【図７】第２実施形態を示した説明図である。
【図８】図７に示す第２実施形態の一部を示した側面図である。
【図９】第２実施形態の他の例を示した説明図である。
【図１０】第２実施形態の別な他の例を示した説明図である。
【図１１】第３実施形態を示した説明図である。
【図１２】従来のマッサージ装置を示した説明図である。
【符号の説明】
２０                    オットマン
２１                                        凹部
２２                                        ベース体
２３                                        側壁部
２４Ａ〜２４Ｄ                    エアバッグ
２５                                        底部
２７                                        ローラ（施療子）
【図１】
2004208880.tif 000003
【図２】
2004208880.tif 000004
【図３】
2004208880.tif 000005
【図４】
2004208880.tif 000006
【図５】
2004208880.tif 000007
【図６】
2004208880.tif 000008
【図７】
2004208880.tif 000009
【図８】
2004208880.tif 000010
【図９】
2004208880.tif 000011
【図１０】
2004208880.tif 000012
【図１１】
2004208880.tif 000013
【図１２】
2004208880.tif 000014